(57)【要約】【課題】  点欠陥及びドット反転駆動の表示検査を行うことが可能であり、さらに表示装置の小型化も可能な表示装置用マトリクス基板の検査方法を提供する。【解決手段】  赤色用ソース配線５、緑色用ソース配線６、青色用ソース配線７のそれぞれの色毎に３分割して短絡され形成されたソース配線群と、表示領域を上下に分割し、前半の奇数番ゲート配線１と偶数番ゲート配線２と、後半の奇数番ゲート配線３と偶数番ゲート配線４との４つに分割し、短絡されて形成されたゲート配線群と、前記ソース配線群と前記ゲート配線群とに信号を入力することにより表示検査を行った後に、前記ソース配線群と前記ゲート配線群のそれぞれの短絡部を除去する。【選択図】  図１
2007003832.tif 000002
【特許請求の範囲】
【請求項１】
絶縁性基板上に形成された３原色用のソース配線群と、
前記複数のソース配線と絶縁膜を介して直交して形成されたゲート配線群と、
を備えた表示装置用マトリクス基板の検査方法であって、
前記３原色用のソース配線群は、赤色用ソース配線、緑色用ソース配線、青色用ソース配線のそれぞれを表示領域の任意の一辺または対向する２辺から周辺領域に引き出してそれぞれの色毎に３分割して短絡され、
前記ゲート配線群は、前記表示領域を前記ゲート配線の配線方向に上下に分割し、上部分である前半の奇数番ゲート配線と偶数番ゲート配線と、下部分である後半の奇数番ゲート配線と偶数番ゲート配線との４つに分割して、それぞれを前記表示領域の１辺または対向する２辺から周辺領域へと引き出して短絡されており、
前記３分割されたソース配線と、前記４分割されたゲート配線とに信号を入力することにより表示検査を行う工程と、
前記表示検査工程の後に、前記ソース配線と前記ゲート配線のそれぞれの短絡部を除去する工程と、
を含むことを特徴とする表示装置用マトリクス基板の検査方法。
【請求項２】
絶縁性基板上に形成された３原色用のソース配線群と、
前記複数のソース配線と絶縁膜を介して直交して形成されたゲート配線群と、
を備えた表示装置用マトリクス基板の検査方法であって、
前記３原色用のソース配線群は、奇数番の赤色用ソース配線、奇数番の緑色用ソース配線、奇数番の青色用ソース配線、偶数番の赤色用ソース配線、偶数番の緑色用ソース配線及び偶数番の青色用ソース配線のそれぞれを表示領域の任意の一辺または対向する２辺から周辺領域に引き出してそれぞれの色及び奇数、偶数毎に６分割して短絡され、
前記ゲート配線群は、奇数番ゲート配線と偶数番ゲート配線との２つに分割して、それぞれを前記表示領域の１辺または対向する２辺から周辺領域へと引き出して短絡されており、
前記６分割されたソース配線と、前記２分割されたゲート配線とに信号を入力することにより表示検査を行う工程と、
前記表示検査工程の後に、前記ソース配線と前記ゲート配線のそれぞれの短絡部を除去する工程と、
を含むことを特徴とする表示装置用マトリクス基板の検査方法。
【請求項３】
絶縁性基板上に形成された３原色用のソース配線群と、
前記複数のソース配線と絶縁膜を介して直交して形成されたゲート配線群と、
を備えた表示装置用マトリクス基板の検査方法であって、
前記３原色用のソース配線群は、奇数番の赤色用ソース配線、奇数番の緑色用ソース配線、奇数番の青色用ソース配線、偶数番の赤色用ソース配線、偶数番の緑色用ソース配線及び偶数番の青色用ソース配線のそれぞれを表示領域の任意の一辺または対向する２辺から周辺領域に引き出してそれぞれの色及び奇数、偶数毎に６分割して短絡され、
前記ゲート配線群は、前記表示領域を前記ゲート配線の配線方向に上下に分割し、上部分である前半の奇数番ゲート配線と偶数番ゲート配線と、下部分である後半の奇数番ゲート配線と偶数番ゲート配線との４つに分割して、それぞれを前記表示領域の１辺または対向する２辺から周辺領域へと引き出して短絡されており、
前記６分割されたソース配線と、前記４分割されたゲート配線とに信号を入力することにより表示検査を行う工程と、
前記表示検査工程の後に、前記ソース配線と前記ゲート配線のそれぞれの短絡部を除去する工程と、
を含むことを特徴とする表示装置用マトリクス基板の検査方法。
【発明の詳細な説明】
【技術分野】
【０００１】
本発明は、表示装置の検査方法に関するもので、特に液晶表示装置用のマトリクス基板の検査方法に適用して好適なものである。
【背景技術】
【０００２】
従来の表示装置の検査方法としては、各走査配線、もしくは各配線に接続された検査用薄膜トランジスタ（以下「ＴＦＴ」と称する）と、走査配線に接続される検査用端子と、配線に接続される検査用端子を有し、各検査用端子には複数の検査ＴＦＴが接続されており、表示領域は複数のブロックに分けられ、各ブロック毎に１セットの走査側検査用端子と、１セットの信号側検査用端子が接続され、前記各ブロック毎に、特定の領域の走査配線と配線が割り当てられており、複数の検査ＴＦＴと検査端子で適宜にまとめているので、多ピンのプローブを用いることなく、必要な画質検査を行うことができるというものであった（例えば、特許文献１参照）。
【０００３】
【特許文献１】特開２００１−２６５２４８号公報（図２）
【発明の開示】
【発明が解決しようとする課題】
【０００４】
しかしながら、上述したような従来の表示装置用マトリクス基板の検査方法では、行反転やドット反転駆動に対応した表示を行い、表示品質を検査することは可能であったが、検査ＴＦＴの制御が必要となること、さらに検査端子を含む検査回路が最終の製品にも残存することから、表示領域外の周辺領域が増大し、表示装置の小型化が困難であるという問題点を有していた。
【０００５】
本発明はこのような問題点に鑑みてなされたものであり、点欠陥及びドット反転駆動の表示検査を行うことが可能で、且つ表示装置の小型化が可能な表示装置用マトリクス基板の検査方法を提供することを目的としている。
【課題を解決するための手段】
【０００６】
本発明は、表示装置用マトリクス基板の検査方法であって、絶縁性基板上に形成された３原色用のソース配線群と、前記複数のソース配線と絶縁膜を介して直交して形成されたゲート配線群とを備えた表示装置用マトリクス基板の検査方法であって、前記３原色用のソース配線群は、赤色用ソース配線、緑色用ソース配線、青色用ソース配線のそれぞれを表示領域の任意の一辺または対向する２辺から周辺領域に引き出してそれぞれの色毎に３分割して短絡され、前記ゲート配線群は、前記表示領域を前記ゲート配線の配線方向に上下に分割し、上部分である前半の奇数番ゲート配線と偶数番ゲート配線と、下部分である後半の奇数番ゲート配線と偶数番ゲート配線との４つに分割して、それぞれを前記表示領域の１辺または対向する２辺から周辺領域へと引き出して短絡されており、前記３分割されたソース配線と、前記４分割されたゲート配線とに信号を入力することにより表示検査を行う工程と、前記表示検査工程の後に、前記ソース配線と前記ゲート配線のそれぞれの短絡部を除去する工程とを含むことを特徴とする。
【発明の効果】
【０００７】
本発明によれば、点欠陥及びドット反転駆動の表示検査を容易に行うことが可能であり、さらに表示装置の小型化が可能な表示装置用マトリクス基板の検査方法を提供することが可能となる。
【発明を実施するための最良の形態】
【０００８】
実施の形態１．
本発明の実施の形態１を図１〜図３により説明する。図１は本発明の実施の形態１における各種配線図であり、図２は本発明の実施の形態１における駆動方法を説明する図、図３は本発明の実施の形態１における点欠陥を表す図である。
【０００９】
図１において、絶縁性基板上にされるゲート配線群において、表示領域をゲート配線の配線方向に上下に分割し、上部分である前半の奇数番ゲート配線１と偶数番ゲート配線２、下部分である後半の奇数番ゲート配線３と偶数番ゲート配線４の４分割として表示領域から周辺領域へと引き出し、短絡させて配線する。次に３原色（赤、緑、青）を有するソース配線群を３つに分割し、赤色用ソース配線５、緑色用ソース配線６、青色用ソース配線７として表示領域より周辺領域へと引き出し、短絡させて配線する。ゲート配線群及びソース配線群を絶縁性基板上に形成することで、マトリクス基板が完成する。また、各ゲート配線群、ソース配線群は、表示領域の任意の一辺または対向する２辺から引き出すことが可能である。図１においては、ゲート配線群は表示領域の対向する２辺から引き出し、ソース配線群は表示領域の１辺から引き出される例を示している。
【００１０】
このように配線された各種信号線において、図２を用いて駆動方法を説明する。まず、あるフレーム（ｎフレーム）においては、赤色用ソース配線５に図２における８の信号を入力する。同様に緑色用ソース配線６には８と逆位相の９の信号を入力し、青色用ソース配線７には９と逆位相の（８と同位相）の１０の信号を入力する。次のフレーム（ｎ＋１フレーム）においては、それぞれの信号を逆位相として入力する。ここで、１１はコモン電圧信号を示している。さらに、ゲート配線には、前半の奇数番ゲート配線１には１２の信号を、前半の偶数番ゲート配線２には１３の信号を、後半の奇数番ゲート配線３には１４の信号を、後半の偶数番ゲート配線４には１５の信号を入力する。これらの信号１２〜１５はそれぞれ線順次に駆動されている（線順次にＨｉｇｈに設定される）。そして、表示領域の上半分と下半分とで異なった電位を充電させることで、図３に示すように表示領域１６の上半分と下半分とで異なった諧調の表示が可能となり、点欠陥１７の検出も容易且つ確実に行うことができる。
【００１１】
このような検査方法とすることで、点欠陥の検出を容易に且つ確実に行うことが可能となると共に、上記検査が完了した後に、当該検査のためにゲート配線とソース配線のそれぞれを短絡した部分を除去する（切り落とす）ことによって、表示領域以外の周辺領域の面積を縮小することが可能となり、表示領域の小型化も可能となる。
【００１２】
本実施の形態においては、表示領域の周辺領域に形成される外部と接続される端子（パッド）は図示されていないが、例えば図１において、ソース配線の外部接続端子は紙面下部（ソース配線を表示領域より引き出して短絡していない側）に形成することができる。ゲート配線側については、図１においては両側（表示領域の対向する２辺）から引き出されて検査用の短絡部を形成する例について示しているが、検査後に絶縁性基板上の周辺領域に残存する当該短絡部を除去する際に、切り落とされずに残存する領域にゲート配線の外部接続端子を形成しておくことで、外部との接続が可能となる。従って、ゲート配線側については、ソース配線側と同様に、紙面の右側か左側かのどちらか一方のみに検査用の短絡部を形成し、その反対側にゲート配線外部接続端子を形成してもよいし、ソース配線側においては、ゲート配線側と同様に、紙面上下方向の両方から配線を引き出して検査用の短絡部を形成する構成としてもよい。
【００１３】
なお、本実施の形態においては、便宜上ソース配線群が赤色、緑色、青色それぞれ６本、ゲート配線群は１６本の例について示しているが、表示装置の解像度に対応してあらゆる本数にも適用可能であるのはいうまでもない。
【００１４】
実施の形態２．
本発明の実施の形態２を図４〜図６により説明する。図４は本発明の実施の形態２における各種配線図であり、図５は本発明の実施の形態２における駆動方法を説明する図、図６は本発明の実施の形態２における検査方法を説明する図である。図４〜図６において、図１〜図３と同じ構成部分については同一の符号を付している。
【００１５】
図４、図５は本実施の形態２における表示装置用マトリクス基板の検査方法を説明するものであり、上記実施の形態１との相違点について説明する。図５において、絶縁性基板上に形成されるゲート配線群を２つに分割し、それぞれ奇数番ゲート配線１８、偶数番ゲート配線１９として表示領域から周辺領域に引き出し、短絡させて配線する。次にソース配線群については６つに分割し、奇数番赤色用ソース配線２０、奇数番緑色用ソース配線２１、奇数番青色用ソース配線２２、偶数番赤色用ソース配線２３、偶数番緑色用ソース配線２４、偶数番青色用ソース配線２５として表示領域から周辺領域に引き出し、短絡させて配線する。上記実施の形態１とは、ゲート配線群の分割は４つから２つに減らし、ソース配線群の分割を３つから６つに増やしたものである。
【００１６】
このように配線された各種信号線において、図５を用いて駆動方法を説明する。まず、あるフレーム（ｎフレーム）においては、奇数番赤色用ソース配線２０に図５における２６の信号、奇数番緑色用ソース配線２１には２６と同位相の２７の信号、奇数番青色用ソース配線２２には２６と同位相の２８の信号を入力する。さらに、偶数番赤色用ソース配線２３には２９の信号、偶数番緑色用ソース配線２４には２９と同位相の３０の信号、偶数番青色用ソース配線２５には２９と同位相の３１の信号を入力する。これら偶数番ソース配線への入力信号２９〜３１は、奇数番ソース配線への入力信号２６〜２８と逆位相となっている。そして、次のフレーム（ｎ＋１フレーム）においては、それぞれのソース配線入力信号を逆位相として入力する。さらに、ゲート配線には、奇数番ゲート配線１８には３２の信号を、偶数番ゲート配線１９には３３の信号を入力する。これらの信号３２と３３とはそれぞれ線順次に駆動されている（線順次にＨｉｇｈに設定される）。
【００１７】
上述の検査方法とすることで、図６に示すように、現フレーム（ｎフレーム）と次フレーム（ｎ＋１フレーム）とで、１ドット×１ドットの極性が変化するドット反転駆動時の表示検査を行うことが可能となる。
【００１８】
表示領域の周辺領域に形成される外部接続端子については、上記実施の形態１と同様に、ゲート配線群とソース配線群のそれぞれの場合において、表示領域の任意の一辺のみから引き出してもよいし、対向する２辺から引き出してもよい。
【００１９】
実施の形態３．
本発明の実施の形態３を図７〜図９により説明する。図７は本発明の実施の形態３における各種配線図であり、図８は本発明の実施の形態３における駆動方法を説明する第１の図、図９は本発明の実施の形態３における駆動方法を説明する第２の図を示している。図７〜図９において、図１〜図６と同じ構成部分については同一の符号を付している。
【００２０】
図７〜図９は本実施の形態３における表示装置用マトリクス基板の検査方法を説明するものであり、上記実施の形態１及び実施の形態２との相違点について説明する。図７において、絶縁性基板上にされるゲート配線群において、実施の形態１と同様に、表示領域をゲート配線の配線方向に上下に分割し、上部分である前半の奇数番ゲート配線１と偶数番ゲート配線２、下部分である後半の奇数番ゲート配線３と偶数番ゲート配線４の４分割として表示領域から周辺領域へと引き出し、短絡させて配線する。次にソース配線群においては、実施の形態２と同様に６つに分割し、奇数番赤色用ソース配線２０、奇数番緑色用ソース配線２１、奇数番青色用ソース配線２２、偶数番赤色用ソース配線２３、偶数番緑色用ソース配線２４、偶数番青色用ソース配線２５として表示領域から周辺領域へと引き出し、短絡させて配線する。上記実施の形態１及び実施の形態２とは異なり、ゲート配線群の分割は４つで、ソース配線群の分割を６つに配線したものである。
【００２１】
このように配線された各種信号線において、図８を用いて駆動方法を説明する。まず、あるフレーム（ｎフレーム）においては、奇数番赤色用ソース配線２０に図８における２６の信号、奇数番緑色用ソース配線２１には２６と同位相の２７の信号、奇数番青色用ソース配線２２には２６と同位相の２８の信号を入力する。さらに、偶数番赤色用ソース配線２３には２９の信号、偶数番緑色用ソース配線２４には２９と同位相の３０の信号、偶数番青色用ソース配線２５には２９と同位相の３１の信号を入力する。これら偶数番ソース配線への入力信号２９〜３１は、奇数番ソース配線への入力信号２６〜２８と逆位相となっている。そして、次のフレーム（ｎ＋１フレーム）においては、それぞれのソース配線入力信号を逆位相として入力する。さらに、ゲート配線には、前半の奇数番ゲート配線１には１２の信号を、前半の偶数番ゲート配線２には１３の信号を、後半の奇数番ゲート配線３には１４の信号を、後半の偶数番ゲート配線４には１５の信号を入力する。これらの信号１２〜１５はそれぞれ線順次に駆動されている（線順次にＨｉｇｈに設定される）。そして、表示領域の上半分と下半分とで異なった電位を充電させることで、実施の形態１に示したように表示領域１６の上半分と下半分とで異なった諧調の表示が可能となり、点欠陥の検出も容易且つ確実に行うことができるとともに、各ソース配線群への入力信号を、図９のような信号入力とすることで、実施の形態２で示したように１ドット×１ドットの極性が変化するドット反転駆動時の表示検査を行うことも可能となる。
【００２２】
上記のような検査方法とすることで、実施の形態１と実施の形態２の両方の効果を奏することが可能となり、より表示装置の表示品質の向上が可能となる。
【００２３】
なお、本発明は液晶を用いた表示装置に限定されることなく、エレクトロルミネセンス（ＥＬ）素子などを用いた表示装置など、各種信号線を用いたあらゆる表示装置の検査方法に適用可能なものである。
【図面の簡単な説明】
【００２４】
【図１】本発明の実施の形態１における各種配線図である。
【図２】本発明の実施の形態１における駆動方法を説明する図である。
【図３】本発明の実施の形態１における点欠陥を表す図である。
【図４】本発明の実施の形態２における各種配線図である。
【図５】本発明の実施の形態２における駆動方法を説明する図である。
【図６】本発明の実施の形態２における検査方法を説明する図である。
【図７】本発明の実施の形態３における各種配線図である。
【図８】本発明の実施の形態３における駆動方法を説明する第１の図である。
【図９】本発明の実施の形態３における駆動方法を説明する第２の図である。
【符号の説明】
【００２５】
１  前半の奇数番ゲート配線、２  前半の偶数番ゲート配線、３  後半の奇数番ゲート配線、４  後半の偶数番ゲート配線、５  赤色用ソース配線、６  緑色用ソース配線、７  青色用ソース配線、８  赤色用ソース配線用入力信号、９  緑色用ソース配線用入力信号、１０  青色用ソース配線用入力信号、１１  コモン電圧信号、１２  前半の奇数番ゲート配線用入力信号、１３  前半の偶数番ゲート配線用入力信号、１４  後半の奇数番ゲート配線用入力信号、１５  後半の偶数番ゲート配線用入力信号、１６  表示領域、１７  点欠陥、１８  奇数番ゲート配線、１９  偶数番ゲート配線、２０  奇数番赤色用ソース配線、２１  奇数番緑色用ソース配線、２２  奇数番青色用ソース配線、２３  偶数番赤色用ソース配線、２４  偶数番緑色用ソース配線、２５  偶数番青色用ソース配線、２６  奇数番赤色用ソース配線入力信号、２７  奇数番緑色用ソース配線入力信号、２８  奇数番青色用ソース配線入力信号、２９  偶数番赤色用ソース配線入力信号、３０  偶数番緑色用ソース配線入力信号、３１  偶数番青色用ソース配線入力信号、３２  奇数番ゲート配線用入力信号、３３  偶数番ゲート配線入力信号
【図１】
2007003832.tif 000003
【図２】
2007003832.tif 000004
【図３】
2007003832.tif 000005
【図４】
2007003832.tif 000006
【図５】
2007003832.tif 000007
【図６】
2007003832.tif 000008
【図７】
2007003832.tif 000009
【図８】
2007003832.tif 000010
【図９】
2007003832.tif 000011